(57)【要約】      （修正有）【課題】複数の色をバランスよく選択することが可能となる色の組合せを表示する装置を提供する。【解決手段】色の組合せを表示する装置１は、１２色が少なくとも環状に配置された色相環２を有する基板４と、その一部を覆い回転可能な回転板５と、前記回転板の回転中心となる軸６とを備え、前記回転板が前記１２色のうち３色または４色を表示することが可能な３つの窓５１，５２，５３または４つの窓を有し、前記３つまたは４つの窓の中心と前記回転板の回転中心とがなす中心角が略同じであり、前記１２色のうちの連続する１１色の色相が、光のスペクトルに対応する赤から紫までの色相であり、赤と紫の間にあり、前記１２色のうちの残りの１色の色相が赤紫である。【選択図】図１
2014106325.tif 000002
【特許請求の範囲】
【請求項１】
１２色が少なくとも環状に配置された基板と、
前記基板に配置された前記少なくとも環状のものの一部を覆い、回転可能な回転板と、
前記回転板の回転中心となる軸とを備え、
前記回転板が前記１２色のうち３色または４色を表示することが可能な３つまたは４つの窓を有し、
前記３つまたは４つの窓の中心と前記回転板の回転中心とがなす中心角が略同じであり、
前記１２色のうちの連続する１１色の色相が、光のスペクトルに対応する赤から紫までの色相であり、
赤と紫の間にあり、前記１２色のうちの残りの１色の色相が赤紫である、色の組合せを表示する装置。
【請求項２】
１２色が少なくとも環状に配置された基板と、
前記基板に配置された前記少なくとも環状のものの一部を覆い、回転可能な回転板と、
前記回転板の回転中心となる軸とを備え、
前記回転板が前記１２色のうち３色を表示することが可能な３つの窓を有し、
前記３つの窓の中心と前記回転板の回転中心とがなす中心角が略１５０度、略６０度、略１５０度であり、
前記１２色のうちの連続する１１色の色相が、光のスペクトルに対応する赤から紫までの色相であり、
赤と紫の間にあり、前記１２色のうちの残りの１色の色相が赤紫である、色の組合せを表示する装置。
【請求項３】
一方の面に、１２色が少なくとも環状に配置され、他方の面に、１２色が少なくとも環状に配置された基板と、
前記一方の面に配置された前記少なくとも環状であるものの一部を覆い、回転可能な第１回転板と、
前記他方の面に配置された前記少なくとも環状であるものの一部を覆い、回転可能な第２回転板と、
前記第１回転板および前記第２回転板の回転中心となる軸とを備え、
前記第１回転板が前記１２色のうち３色を表示することが可能な３つの窓を有し、
前記第２回転板が前記１２色のうち４色を表示することが可能な４つの窓を有し、
前記４つの窓の中心と前記回転中心とがなす中心角が略９０度であり、
前記１２色のうちの連続する１１色の色相が、赤から紫までの光のスペクトルに対応する色相であり、
赤と紫の間にあり、前記１２色のうちの残りの１色の色相が赤紫である、色の組合せを表示する装置。
【請求項４】
一方の面に、１２色が少なくとも環状に配置され、他方の面に、１２色が少なくとも環状に配置された基板と、
前記一方の面に配置された前記少なくとも環状であるものの一部を覆い、回転可能な第１回転板と、
前記他方の面に配置された前記少なくとも環状であるものの一部を覆い、回転可能な第２回転板と、
前記第１回転板および前記第２回転板の回転中心となる軸とを備え、
前記第１回転板が前記１２色のうち３色を表示することが可能な３つの窓を有し、
前記第１回転板の前記３つの窓の中心と前記回転中心とがなす中心角が略１２０度であり、
前記第２回転板が前記１２色のうち３色を表示することが可能な３つの窓を有し、
前記第２回転板の前記３つの窓の中心と前記回転中心とがなす中心角が略１５０度、略６０度、略１５０度であり、
前記１２色のうちの連続する１１色の色相が、赤から紫までの光のスペクトルに対応する色相であり、
赤と紫の間にあり、前記１２色のうちの残りの１色の色相が赤紫である、色の組合せを表示する装置。
【請求項５】
前記３つまたは４つの窓のうちの１つが基準窓であり、
前記回転板に切りかけ部が形成されるように、前記基準窓が前記回転板の縁まで延びている、請求項１に記載の色の組合せを表示する装置。
【請求項６】
前記３つの窓のうちの１つが基準窓であり、
前記回転板に切りかけ部が形成されるように、前記基準窓が前記回転板の縁まで延びている、請求項２または４に記載の色の組合せを表示する装置。
【請求項７】
前記３つの窓のうちの１つが第１基準窓であり、
前記第１回転板に切りかけ部が形成されるように、前記第１基準窓が前記第１回転板の縁まで延び、
前記４つの窓のうちの１つが第２基準窓であり、
前記第２回転板に切りかけ部が形成されるように、前記第２基準窓が前記第２回転板の縁まで延びている、請求項３に記載の色の組合せを表示する装置。
【請求項８】
前記１１色の色相が、赤、黄赤、橙、黄、黄緑、緑、青緑、濃い青緑、青、青紫、紫である、請求項１〜７のうちの１つに記載の色の組合せを表示する装置。
【請求項９】
請求項１〜８のうちの１つに記載の色の組合せを表示する装置と、
面を有し、前記面が少なくとも３つの領域に目印により分けられている物体と、を含む塗り絵セット。
【請求項１０】
請求項８に記載の色の組合せを表示する装置と、
前記１２色を塗ることが可能な筆記用具と、を含む塗り絵セット。
【請求項１１】
請求項１〜８のうちの１つに記載の色の組合せを表示する装置と、
面を有し、前記面が少なくとも３つの領域に目印により分けられている物体と、
前記１２色を塗ることが可能な筆記用具と、を含む塗り絵セット。
【発明の詳細な説明】
【技術分野】
【０００１】
本発明は、色の組合せを表示する装置およびそれを含んだ塗り絵セットに関する。
【背景技術】
【０００２】
子供に塗り絵をさせた場合、好きな色だけを使用する傾向が強く、好きな色の１色乃至２色を使用し、塗り絵を行う場合が多い。
【０００３】
また、大人であっても、複数の色からバランスよく色を選択することは難しい。このた
め、色彩に関する知識を有する大人向けに、色相環を用いた配色装置が提案されている（
特許文献１）。
【先行技術文献】
【特許文献】
【０００４】
【特許文献１】特開平８−２１９８８７号公報
【発明の概要】
【発明が解決しようとする課題】
【０００５】
しかし、特許文献１に記載の配色装置では、１２の色相のうち１０の色相が同時に示され、さらに、同じ色相であっても異なる明度のものが複数同時に示され、大人であっても色彩に関する知識がないと、どの色を選択したらよいか解らない。また、全く色彩に関する知識がない子供にとっては、どのように特許文献１に記載の配色装置を使用したらよいのかさえ解らない。このように、子供に限らず、大人であっても色彩に関する知識がないと、この配色装置から色を選択することは難しいという問題があった。
【０００６】
本発明は、上記問題に鑑みてなされたものであり、色彩に関する知識を有していない者であっても、複数の色をバランスよく選択することが可能となる色の組合せを表示する装置を提供し、さらにその装置を含んだ塗り絵セットを提供することを目的とする。
【課題を解決するための手段】
【０００７】
本発明に係る色の組合せを表示する装置は、１２色が少なくとも環状に配置された基板と、前記基板に配置された前記少なくとも環状のものの少なくともその一部を覆い、回転可能な回転板と、前記回転板の回転中心となる軸とを備え、前記回転板が前記１２色のうち３色または４色を表示することが可能な３つまたは４つの窓を有し、前記３つまたは４つの窓の中心と前記回転板の回転中心とがなす中心角が略同じであり、前記１２色のうちの連続する１１色の色相が、赤から紫までの光のスペクトルに対応する色相であり、赤と紫の間にあり、前記１２色のうちの残りの１色の色相が赤紫である。本発明のある実施形態では、前記３つまたは４つの窓のうちの１つが基準窓であり、前記回転板に切りかけ部が形成されるように、前記基準窓が前記回転板の縁まで延びている。
【０００８】
本発明に係る別の色の組合せを表示する装置は、１２色が少なくとも環状に配置された基板と、前記基板に配置された前記少なくとも環状のものの一部を覆い、回転可能な回転板と、前記回転板の回転中心となる軸とを備え、前記回転板が前記１２色のうち３色を表示することが可能な３つの窓を有し、前記３つの窓の中心と前記回転板の回転中心とがなす中心角が略１５０度、略６０度、略１５０度であり、前記１２色のうちの連続する１１色の色相が、光のスペクトルに対応する赤から紫までの色相であり、赤と紫の間にあり、前記１２色のうちの残りの１色の色相が赤紫である。本発明のある実施形態では、前記３つの窓のうちの１つが基準窓であり、前記回転板に切りかけ部が形成されるように、前記基準窓が前記回転板の縁まで延びている。
【０００９】
本発明に係る他の色の組合せを表示する装置は、一方の面に、１２色が少なくとも環状に配置され、他方の面に、１２色が少なくとも環状に配置された基板と、前記一方の面に配置された前記少なくとも環状であるものの少なくとも一部を覆い、回転可能な第１回転板と、前記他方の面に配置された前記少なくとも環状であるものの少なくとも一部を覆い、回転可能な第２回転板と、前記第１回転板および前記第２回転板の回転中心となる軸とを備え、前記第１回転板が前記１２色のうち３色を表示することが可能な３つの窓を有し、前記第２回転板が前記１２色のうち４色を表示することが可能な４つの窓を有し、前記４つの窓の中心と前記回転中心とがなす中心角が略９０度であり、前記１２色のうちの連続する１１色の色相が、赤から紫までの光のスペクトルに対応する色相であり、赤と紫の間にあり、前記１２色のうちの残りの１色の色相が赤紫である。本発明のある実施形態では、前記３つの窓のうちの１つが第１基準窓であり、前記第１回転板に切りかけ部が形成されるように、前記第１基準窓が前記第１回転板の縁まで延び、前記４つの窓のうちの１つが第２基準窓であり、前記第２回転板に切りかけ部が形成されるように、前記第２基準窓が前記第２回転板の縁まで延びている。
【００１０】
本発明に係るさらに別の色の組合せを表示する装置は、一方の面に、１２色が少なくとも環状に配置され、他方の面に、１２色が少なくとも環状に配置された基板と、前記一方の面に配置された前記少なくとも環状であるものの一部を覆い、回転可能な第１回転板と、前記他方の面に配置された前記少なくとも環状であるものの一部を覆い、回転可能な第２回転板と、前記第１回転板および前記第２回転板の回転中心となる軸とを備え、前記第１回転板が前記１２色のうち３色を表示することが可能な３つの窓を有し、前記第１回転板の前記３つの窓の中心と前記回転中心とがなす中心角が略１２０度であり、前記第２回転板が前記１２色のうち３色を表示することが可能な３つの窓を有し、前記第２回転板の前記３つの窓の中心と前記回転中心とがなす中心角が略１５０度、略６０度、略１５０度であり、前記１２色のうちの連続する１１色の色相が、赤から紫までの光のスペクトルに対応する色相であり、赤と紫の間にあり、前記１２色のうちの残りの１色の色相が赤紫である。本発明のある実施形態では、前記３つの窓のうちの１つが基準窓であり、前記回転板に切りかけ部が形成されるように、前記基準窓が前記回転板の縁まで延びている。
【００１１】
本発明のある実施形態では、前記１１色の色相が、赤、黄赤、橙、黄、黄緑、緑、青緑、濃い青緑、青、青紫、紫である。
【００１２】
本発明に係る塗り絵セットは、前記色の組合せを表示する装置と、面を有し、前記面が少なくとも３つの領域に目印により分けられている物体とを含む。
【００１３】
本発明に係る別の塗り絵セットは、前記色の組合せを表示する装置と、前記１２色を塗ることが可能な筆記用具とを含む。
【００１４】
本発明に係る他の塗り絵セットは、前記色の組合せを表示する装置と、面を有し、前記面が少なくとも３つの領域に目印により分けられている物体と、前記１２色を塗ることが可能な筆記用具とを含む。
【発明の効果】
【００１５】
本発明に係る色の組合せを表示する装置では、回転板が１２色のうち３色または４色を表示することが可能な３つまたは４つの窓を有している。窓を見れば選択する色がすぐに分かるため、ユーザは容易に色を選択することができる。同様に、本発明に係る別の色の組合せを表示する装置は、回転板が１２色のうち３色を表示することが可能な３つの窓を有している。窓を見れば選択する色がすぐに分かるため、ユーザは容易に色を選択することができる。
【００１６】
本発明に係る他の色の組合せを表示する装置では、３つの窓を有する第１回転板と４つの窓を有する第２回転板が、１つの回転軸を中心に、基板の一方の面と他方の面とで別々に回転することが可能である。このため、第１回転板用の基板と第２回転板用の基板を別々に設ける必要がない。また、回転軸を別々に設ける必要がない。本発明に係る別の色の組合せを表示する装置では、基板と回転軸を共用できるため、基板と回転軸を共用しないものに比べて、製造コストを削減できる。同様に、本発明に係るさらに別の色の組合せを表示する装置では、３つの窓を有する第１回転板と３つの窓を有する第２回転板が、１つの回転軸を中心に、基板の一方の面と他方の面とで別々に回転することが可能である。このため、第１回転板用の基板と第２回転板用の基板を別々に設ける必要がない。また、回転軸を別々に設ける必要がない。本発明に係る別の色の組合せを表示する装置では、基板と回転軸を共用できるため、基板と回転軸を共用しないものに比べて、製造コストを削減できる。
【００１７】
本発明のある実施形態では、回転板に切りかけ部が形成されるように、基準窓が回転板の縁まで延びている。このため、ユーザが、その指を切りかけ部に引っかけて、回転板を回すことができる。また、基準窓が切りかけ状であり、他の窓とは形状が異なっているため、ユーザはどの色が基準色であるのかを容易に確認することができる。
【００１８】
第１基準窓および第２基準窓に切りかけ部が形成されるものについても、上述した効果を奏する。
【００１９】
本発明に係る塗り絵セットは、上記色の組合せを表示する装置と、面が少なくとも３つの領域に目印により分けられている物体とを含んでいる。面が少なくとも３つの領域に分けられているため、上記色の組合せを表示する装置により色を定め、その後実際に塗り絵を行うことができる。
【００２０】
本発明に係る別の塗り絵セットは、赤、黄赤、橙、黄、黄緑、緑、青緑、濃い青緑、青、青紫、紫、赤紫の１２色から３色または４色を表示することが可能な色の組合せを表示する装置と、上記１２色を塗ることが可能な筆記用具とを含んでいる。例えば、通常市販されている１２色の色鉛筆の色相は、赤、緑、茶色、水色、ペールオレンジ、紫、黄緑、黒、橙、黄色、青、桃色である。上記色の組合せを表示する装置に表示される色に基づき、ユーザが彩色する場合、青緑を水色の色鉛筆で代用することは可能であるが、黄赤、青緑、濃い青緑、青紫に対応する色の色鉛筆は、通常の１２色の色鉛筆には含まれていないため、すぐに塗り絵を行うことができない。しかし、本発明に係る別の塗り絵セットは、赤、黄赤、橙、黄、黄緑、緑、青緑、濃い青緑、青、青紫、紫、赤紫の１２色を塗ることが可能な筆記用具が含まれているため、すぐに塗り絵を行うことができる。
【００２１】
本発明に係る他の塗り絵セットは、赤、黄赤、橙、黄、黄緑、緑、青緑、濃い青緑、青、青紫、紫、赤紫の１２色から３色または４色を表示することが可能な色の組合せを表示する装置と、面が少なくとも３つの領域に目印により分けられている物体と、上記１２色を塗ることが可能な筆記用具とを含んでいる。このため、本発明に係る他の塗り絵セットは、上述した効果を奏する。
【図面の簡単な説明】
【００２２】
【図１】本発明の第１の実施形態における色の組合せを表示する装置の平面図である。
【図２】色相環の一例を示す図である。
【図３】色相環の別の一例を示す図である。
【図４】本発明の第２の実施形態における回転板の平面図である。
【図５】本発明の第３の実施形態における色の組合せを表示する装置の平面図である。
【図６】本発明の第４の実施形態における色の組合せを表示する装置の平面図である。
【図７】本発明の第５の実施形態における回転板の平面図である。
【図８】本発明の第６の実施形態における色の組合せを表示する装置の平面図である。
【図９】面を有し、その面が少なくとも３つの領域に目印により分けられている物体の一例を示す図である。
【図１０】面を有し、その面が少なくとも３つの領域に目印により分けられている物体の別の一例を示す図である。
【発明を実施するための形態】
【００２３】
以下に、図面を参照しながら本発明の一実施形態における色の組合せを表示する装置について説明する。
【００２４】
図１は、本発明の第１の実施形態における色の組合せを表示する装置の平面図である。
【００２５】
色の組合せを表示する装置１は、色相環２が配置された基板４と、色相環２の一部を覆う回転板５と、回転板５の回転中心となる回転軸６とを備えている。
【００２６】
色相環２は、１２色の異なる色相からなっている。本発明では、１２色のうちの連続する１１色の色相は、光のスペクトルに対応する赤から紫までの色相である。１２色のうちの残りの１色の色相は、赤紫であり、赤と紫の間に位置する。本実施形態では、１２色は、赤、黄赤、橙、黄、黄緑、緑、青緑、濃い青緑、青、青紫、紫、赤紫からなり、赤が中央上部に位置する。色相環２は、基板４に直接印刷してもよい。色相環２が基板４に直接印刷される場合、色相環を基板４に貼り付けたものより、コストを下げることができるからである。
【００２７】
図２は、基板４ａに配置された色相環の一例を示す図である。図２に示す色相環では、１２個の中心角が３０度である扇形２１〜３２がそれぞれ一色ずつ彩色されている。扇形２１〜３２の色相は、順番に赤、黄赤、橙、黄、黄緑、緑、青緑、濃い青緑、青、青紫、紫、赤紫である。また、回転板が回転できるように基板４ａに取り付けられた状態で、その扇形における２本の半径と円弧で取り囲まれた領域内に、後述する窓を納めることができる。
【００２８】
図３は、基板４ｂに配置された色相環の一例を示す図である。図２に示す色相環では、扇形の中心部まで彩色されていたが、図３に示す色相環では、その中心部分の色がフリーとなっている。中心部まで彩色しない場合、中心部まで彩色したものに比べ製造コストを安くすることができる。基板４ｂにおいて、２本の線分と２つの円弧で囲まれた１２個の部分からなる色相環の色相は、基板４ａの色相環の色相と同様に、上から順番に赤、黄赤、橙、黄、黄緑、緑、青緑、濃い青緑、青、青紫、紫、赤紫である。図３に示す色相環は、２本の線分と２つの円弧で囲まれた１２個の部分からなっていたが、本実施形態の色相環の形状は後述する窓や基準窓から色相が確認できればどのような形状でもよく、例えば、それらの１２個の部分の少なくとも１つが、略台形であってもよい。
【００２９】
回転板５は、１２色のうち３色を表示することが可能な３つの窓５１、５２、５３を有している。窓５１、５２、５３のそれぞれの中心と回転中心とを結ぶ線分がなす中心角の角度は、ほぼ等しい。本実施形態では、それらの中心角の角度は、略１２０度となる。このため、色の組合せとしては、第１の組合せ（赤、黄緑、青）、第２の組合せ（黄赤、緑、青紫）、第３の組合せ（橙、青緑、紫）、第４の組合せ（黄、濃い青緑、赤紫）の４通りが存在する。このような組合せは、有名な絵画においても見られる。
【００３０】
第１の組合せ（赤、黄緑、青）の例としては、作者：ウィリアム・アドルフ・ブーグロー、作品名：「牧歌」がある。その絵画の背景にはトーンを落とした黄緑が使用され、母親の衣装にはくすんだ赤が使用され、空には薄い青が使用されている。
【００３１】
さらに、第１の組合せ（赤、黄緑、青）の別の例としては、作者：エドゥアール・マネ、作品：「テュイルリー公園の音楽会」がある。その絵画では、森には自然色溢れる深い黄緑が使用され、象牙色を含む無彩色の群集の中、手前に座る婦人の帽子には青が使用され、少女の腰巻には赤が使用されアクセントとなっている。
【００３２】
第２の組合せ（黄赤、緑、青紫）の例としては、作者：ベルト・モリゾ、作品：「オウムと少女」がある。その絵画の背景には青紫が使用され、少女の髪の毛には黄赤が使用され、オウムには緑が使用されている。
【００３３】
さらに、第２の組合せ（黄赤、緑、青紫）の別の例としては、作者：アンニーバレ・カラッチ、作品：「岐路に立つヘラクレス」がある。その絵画の背景は緑を主体とした近似色相でまとめられ、ヘラクレスに道を示す女性の衣には薄い青紫と強い黄赤が使用されている。
【００３４】
第３の組合せ（橙、青緑、紫）の例としては、作者：ウィリアム・アドル・ブーグロー 、作品：「ダンス」がある。その絵画では、左の天女の橙の衣装が一番映えるように、青緑の衣と紫の衣がその周りを取り巻いている。
【００３５】
第４の組合せ（黄、濃い青緑、赤紫）の例としては、作者：フラ・アンジェリコ、作品名：「受胎告知」がある。その絵画では、背景に黄色が使用され、天使には赤紫が使用され、マリアの衣服には濃い青緑が使用されている。また、作者：ピエトロ・カヴァリーニ、作品名：「受胎告知」においても、第４の組合せが用いられている。
【００３６】
このように、色の組合せを表示する装置１を用いると、プロの画家が実際に選択するような色を容易に３色選ぶことができる。このため、３歳ぐらいから、無理なく色の組合せを学ぶことができる。また、乳幼児期の視覚体験がその後の色彩感覚に決定的な影響を与えることが知られており（独立行政法人科学技術振興機構、独立行政法人産業技術総合研究所  平成１６年７月２６日  プレス発表  http://www.jst.go.jp/pr/announce/20040727/）、本発明は乳幼児の色彩教育に役立つと考える。
【００３７】
また、本実施形態では、回転板５の周りに色相環２がはみ出している。言い換えると、色相環２の外周より内側に回転板５の外周が位置し、回転板５が色相環２を覆った状態でユーザは全１２色を認識することができる。このため、色彩について何ら知識を有さない者であっても、回転板５の外部に位置する色相環２を見ながら、窓５１、５２、５３を目的の色に合わせることができる。
【００３８】
一方、特許文献１に記載の配色装置は、上述したように色彩について知識を有する者、例えばデザイナーのために作られたものであり、特許文献１に記載の配色装置では、デザインの考慮中に邪魔となる余計な色が見えないように回転板が目隠しの役割を果たしている。
【００３９】
このように、本実施形態と特許文献１に記載の配色装置では、根本的に使用のされ方が異なる。
【００４０】
なお、本実施形態を用いて色の組合せを学んだ後に、回転板５の周りからはみ出した色相環２を見ずに色の組合せを学習する目的のために、回転板５の周りから色相環２がはみ出さないように本実施形態が変形されてもよい。
【００４１】
以下に、本発明の第２の実施形態における色の組合せを表示する装置を説明する。本実施形態において、色相環が配置された基板や回転板の回転中心となる回転軸は、第１の実施形態と同じ構成であるが、回転板の窓の数が第１の実施形態のものより１つ多い。
【００４２】
図４は、本発明の第２の実施形態における回転板１０５の平面図である。回転板１０５は、１２色のうち４色を表示することが可能な４つの窓１５１、１５２、１５３、１５４を有している。回転板１０５が回転できるように基板に取り付けられた状態で、図２に示されているような基板４ａに配置された扇形における２本の半径と円弧で取り囲まれた領域内に、窓を納めることができる。窓１５１、１５２、１５３、１５４のそれぞれの中心と回転中心とを結ぶ線分がなす中心角の角度は、ほぼ等しい。本実施形態では、それらの中心角の角度は、略９０度となる。このため、色の組合せとしては、第１の組合せ（赤、黄、青緑、青紫）、第２の組合せ（黄赤、黄緑、濃い青緑、紫）、第３の組合せ（橙、緑、青、赤紫）の３通りが存在する。このような組合せは、有名な絵画においても見られる。
【００４３】
第１の組合せ（赤、黄、青緑、青紫）の例としては、作者：ワシリー・カンディンスキー 、作品：「青い山」がある。その絵画では、左の木には黄が使用され、右の木には赤が使用され、左右の木に挟まれた山脈には青紫が使用され、山脈の下部の一部には青緑が使用されている。
【００４４】
さらに、第１の組合せ（赤、黄、青緑、青紫）の別の例としては、作者：クロード・モネ、作品：「赤い船」がある。その絵画では、海面や空の一部に青紫が使用され、海面の海藻に青緑が使用され、船には赤が使用され、その船の柱に黄が使用されている。
【００４５】
第２の組合せ（黄赤、黄緑、濃い青緑、紫）の例としては、作者：ルノワール、作品：「じょうろを持つ少女」がある。その絵画では、地面と花の一部にごく薄い紫が使用され、少女のワンピースに濃い青緑が使用され、背景の草むらに黄緑が使用され、少女のリボンに黄赤が使用されている。
【００４６】
第３の組合せ（橙、緑、青、赤紫）の例としては、作者：モーリス・ユトリロ、作品：「Moulin de la galette」がある。その絵画では、壁に赤紫が使用され、地面に橙が使用され、空に青が使用され、樹木に緑が使用されている。
【００４７】
このように、本実施形態を用いると、プロの画家が実際に選択するような色を容易に４色選ぶことができる。このため、３歳ぐらいから、無理なく色の組合せを学ぶことができる。
【００４８】
また、本実施形態では、第１の実施形態と同様に、回転板１０５の周りに色相環がはみ出している。言い換えると、色相環の外周より内側に回転板１０５の外周が位置し、回転板１０５が色相環を覆った状態でユーザは全１２色を認識することができる。このため、色彩について何らの知識を有さない者であっても、回転板１０５の外部に位置する色相環１０２を見ながら、窓１５１、１５２、１５３、１５４を目的の色に合わせることができる。
【００４９】
なお、本実施形態を用いて色の組合せを学んだ後に、回転板１０５の周りからはみ出した色相環を見ずに色の組合せを学習する目的のために、回転板１０５の周りから色相環がはみ出さないように本実施形態が変形されてもよい。また、図２に示す色相環は、２本の線分と１つの円弧で囲まれた１２個の部分からなっていたが、色相環の１２個の部分の形状はそれに限られない。色相環の形状は、窓から色相が確認できればどのような形状でもよく、例えば、それらの１２個の部分の少なくとも１つが、図３に示すような２本の線分と２つの円弧で囲まれた領域であってもよいし、略台形であってもよい。
【００５０】
以下に、本発明の第３の実施形態における色の組合せを表示する装置を説明する。本実施形態は、第１の実施形態と略同じ構成であるが、回転板の窓の１つが基準窓であることが第１の実施形態とは異なる。
【００５１】
図５に示すように、本実施形態における色の組合せを表示する装置２０１は、色相環２０２が配置された基板２０４と、色相環２０２の一部を覆う回転板２０５と、回転板２０５の回転中心となる回転軸２０６とを備えている。本実施形態において、色相環２０２、基板２０４、回転軸２０６は、第１の実施形態と同じ構成であってもよい。
【００５２】
本実施形態は、第１の実施形態に比べ、より進んだ色彩に関する知識を教授する場合にも使用可能である。同じ色の組合せで構成された絵画であっても、鑑賞者が受ける印象は異なる。これは、構図や色の強弱など多くの要因によって引き起こされるが、基準となる色によっても異なってくる。ここで、基準となる色とは、絵画全体に占める面積が大きい色や、主観的または客観的にアクセントとなる色などである。つまり、第１の組合せ（赤、黄緑、青）であっても、赤を基準となる色とするのか、黄緑を基準となる色とするのか、青を基準となる色とするのかによって、絵画の印象が異なってくる。
【００５３】
この基準となる色を明確に意識できるように、本実施形態における回転板２０５は、基準窓２５１を有している。図５に示す色の組合せを表示する装置２０１では、普通の窓２５２、２５３が円形であるのに対して、基準窓２５１は略台形である。また、基準窓２５１の半径方向の２本の線分は、色相環２０２の隣接する色の境界と重なってもよいし、それらの境界の内側に位置してもよい。図５に示す基準窓２５１は略台形であるが、基準窓２５１と窓２５２、２５３との区別がつけば、どのような形状であってもよい。また、基準窓２５１および窓２５２、２５３が同じ形状であっても、それらを区別するための目印が基準窓の周辺に付けられ、基準窓２５１と窓２５２、２５３とを区別することができれば、目印のある窓を基準窓として用いてもよい。
【００５４】
本実施形態を用いることにより、４種類の色の組合せだけでなく、基準となる色に基づいた色彩に関する知識を教授することができる。
【００５５】
また、図５に示す色の組合せを表示する装置２０１では、窓２５２、２５３は、回転板２０５の内部に位置し、外部とはつながっていないが、基準窓２５１は、回転板２０５の外周の一部となっている。このため、ユーザは基準窓２５１に指を引っ掛け、回転板２０５を回すことができる。これにより、操作性が向上する。
【００５６】
また、図５に示すように、窓２５２、２５３を目と見立て、基準窓２５１を口と見立てることができる。このような外観は、特に小さな子供に、図５に記載される色の組合せを表示する装置への親近感を与え、色彩に関する学習効果の向上が期待できる。
【００５７】
図６は、本発明の第４の実施形態における色の組合せを表示する装置の平面図である。本実施形態の構成は、第３の実施形態と略同じであるが、回転板３０５の窓３５２と窓３５３の間に口が描かれていることと、２つの略三角形が色相環３０２の黄赤と橙の周辺と、色相環３０２の紫と赤紫の周辺に描かれていることが異なる。なお、２つの略三角形のうち、黄赤と橙の周辺に描かれている略三角形の色は白であり、紫と赤紫の周辺に描かれている略三角形の色は黒であってもよい。窓３５２、３５３を目と見立て、基準窓３５１の付近を頭部と見立て、これらの略三角形を耳と見立ててもよい。このような外観は、特に小さな子供に、図６に記載される色の組合せを表示する装置３０１への親近感を与え、色彩に関する学習効果の向上が期待できる。なお、上述した第３の実施形態における色の組合せを表示する装置の基板２０４に、本実施形態と同様の２つの略三角形が描かれていてもよい。なお、図６に示す色の組合せを表示する装置３０１では、回転軸が回転板３０５の裏と接続され、回転軸が外部から見えない、または、回転軸は回転板３０５の表まで出ているが回転板３０５と同色であり、外部から見づらくなっている。
【００５８】
以下に、本発明の第５の実施形態における色の組合せを表示する装置を説明する。本実施形態は、第２の実施形態と略同じ構成であるが、回転板の窓の１つが基準窓であることが第２の実施形態とは異なる。
【００５９】
図７に示すように、本実施形態における回転板４０５は、１２色のうち４色を表示することが可能な基準窓４５１、３つの窓４５２、４５３、４５４を有している。ユーザは、基準窓４５１により、基準となる色を明確に意識することができる。図７に示す基準窓４５１は略台形であり、基準窓４５１の半径方向の２本の線分は、色相環の隣接する色の境界と重なってもよいし、それらの境界の内側に位置してもよい。また、図７に示す基準窓４５１は略台形であるが、基準窓４５１と窓４５２、４５３、４５４との区別がつけば、基準窓はどのような形状であってもよい。また、基準窓４５１および窓４５２、４５３、４５４が同じ形状であっても、それらを区別するための目印が基準窓の周辺に付けられ、基準窓４５１と窓４５２、４５３、４５４とを区別することができれば、目印のある窓を基準窓として用いてもよい。回転板４０５が回転できるように基板に取り付けられた状態で、図２に示されているような基板４ａに配置された扇形である２本の半径と円弧で取り囲まれた領域内に、窓が納まる。基準窓４５１、窓４５２、４５３、４５４のそれぞれの中心と回転中心とを結ぶ線分がなす中心角の角度は、ほぼ等しい。本実施形態では、それらの中心角の角度は、略９０度となる。
【００６０】
本実施形態を用いることにより、第４の実施形態と同様に、３種類の色の組合せだけでなく、基準となる色に基づいた色彩に関する知識を教授することができる。また、本実施形態では、第４の実施形態と同様に、ユーザは基準窓４５１に指を引っ掛け、回転板４０５を回すことができる。これにより、操作性が向上する。
【００６１】
また、本実施形態の色相環の１２個の部分の形状は、図２に示す扇形に限られない。色相環の形状は、窓や基準窓から色相が確認できればどのような形状でもよく、例えば、それらの１２個の部分の少なくとも１つが、図３に示すような２本の線分と２つの円弧で囲まれた領域であってもよいし、略台形であってもよい。
【００６２】
以下に、本発明の第６の実施形態における色の組合せを表示する装置を説明する。本実施形態では、色相環が配置された基板や回転板の回転中心となる回転軸は、第１の実施形態と同じ構成であるが、回転板の窓の位置が第１の実施形態のものとは異なる。
【００６３】
図８は、本発明の第６の実施形態における色の組合せを表示する装置の平面図である。色の組合せを表示する装置５０１は、色相環５０２が配置された基板５０４と、色相環５０２の一部を覆う回転板５０５と、回転板５０５の回転中心となる回転軸とを備えている。なお、図８に示す色の組合せを表示する装置５０１では、回転軸を省略し、描いている。
【００６４】
回転板５０５は、１２色のうち３色を表示することが可能な基準窓５５１と２つの窓５５２、５５３を有している。ユーザは、基準窓５５１により、基準となる色を明確に意識することができる。図８に示す基準窓５５１は略台形であり、基準窓５５１の半径方向の２本の線分は、色相環の隣接する色の境界と重なってもよいし、それらの境界の内側に位置してもよい。また、図８に示す基準窓５５１は略台形であるが、基準窓５５１と窓５５２、５５３、５５４との区別がつけば、基準窓はどのような形状であってもよい。また、基準窓５５１および窓５５２、５５３、５５４が同じ形状であっても、それらを区別するための目印が基準窓の周辺に付けられ、基準窓５５１と窓５５２、５５３、５５４とを区別することができれば、目印のある窓を基準窓として用いてもよい。また、回転板５０５が回転できるように基板に取り付けられた状態で、図２に示されているような基板４ａに配置された扇形における２本の半径と円弧で取り囲まれた領域内に、窓を納めることができる。
【００６５】
基準窓５５１の中心と窓５５２の中心と回転中心とを結ぶ線分がなす中心角の角度は略１５０度であり、基準窓５５１の中心と窓５５３の中心と回転中心とを結ぶ線分がなす中心角の角度は略１５０度であり、窓５５２、５５３のそれぞれの中心と回転中心とを結ぶ線分がなす中心角は、略６０度である。つまり、ユーザは基準窓５５１とは回転中心を介して反対側に対応する色の両隣の色を窓５５２、５５３から見ることができる。
【００６６】
このため、色の組合せとしては、第１の組合せ（赤、緑、濃い青緑）、第２の組合せ（黄赤、青緑、青）、第３の組合せ（橙、濃い青緑、青紫）、第の４組合せ（黄、青、紫）、第の５組合せ（黄緑、青紫、赤紫）、第の６組合せ（緑、赤、赤紫）、第の７組合せ（青緑、赤紫、黄赤）、第の８組合せ（濃い青緑、赤、橙）、第の９組合せ（青、黄赤、黄）、第の１０組合せ（青紫、橙、黄緑）、第の１１組合せ（紫、黄、緑）、第の１２組合せ（赤紫、青緑、黄緑）の１２通りが存在する。このような組合せは、有名な絵画においても見られる。
【００６７】
第１の組合せ（赤、緑、濃い青緑）の例としては、作者：ヘラルト・ダーフィット、作品：「キリストの洗礼」がある。その絵画では、右の人物のマントに赤が使用され、木々や山近景に緑が使用され、山遠景やキリストの背景に濃い青緑が使用されている。
【００６８】
第２の組合せ（黄赤、青緑、青）の例としては、作者：歌川広重、作品：「高輪うしまち」がある。その絵画では、水平線に黄赤が使用され、地面や車輪に青緑が使用され、海に青が使用されている。
【００６９】
第３の組合せ（橙、濃い青緑、青紫）の例としては、作者：アルフォンス・ミュシャ、作品：「ジスモンダ」がある。その絵画では、背景全体や衣装に橙が使用され、女性が持つ植物の葉の一部に濃い青緑が使用され、ＧＩＳＭＯＮＤＡの文字には青紫が使用されている。
【００７０】
第の４組合せ（黄、青、紫）の例としては、作者：クロード・モネ、作品：「サンタ・ドレスの海岸」がある。その絵画では、雲があるがその空に紫が使用され、船の外側に青が使用され、その船の内側に黄が使用されている。
【００７１】
第の５組合せ（黄緑、青紫、赤紫）の例としては、作者：ジャン＝バティスト・カミーユ・コロー、作品：「青衣の婦人」がある。その絵画では、背景に黄緑が使用され、婦人のドレスに青紫が使用され、その婦人が肘をついているクッションに赤紫が使用されている。
【００７２】
第の６組合せ（緑、赤、赤紫）の例としては、作者：フレデリック・サンズ、作品：「女王エレノア」がある。その絵画では、背景に緑が使用され、女王のマントに描かれた模様に赤が使用され、女王のドレスに赤紫が使用されている。
【００７３】
第の７組合せ（青緑、赤紫、黄赤）の例としては、作者：アンリ・マティス、作品：「画家の裸婦」がある。その絵画では、背景の壁に青緑が使用され、裸婦のボディの一部に赤紫と黄赤が使用されている。
【００７４】
第の８組合せ（濃い青緑、赤、橙）の例としては、作者：オラツィオ・ジェンティレスキ、作品：「ロトと娘たち」がある。その絵画では、真ん中の男性の服に濃い青緑が使用され、左の女性の服に赤が使用され、右の女性の服に橙が使用されている。
【００７５】
第の９組合せ（青、黄赤、黄）の例としては、作者：ヨハネス・フェルメール、作品：「真珠の耳飾りの少女」がある。その絵画では、少女のターバンに青が使用され、その少女の頭部スカーフに黄が使用され、その少女の服に黄赤が使用されている。
【００７６】
第の１０組合せ（青紫、橙、黄緑）の例としては、作者：カール・ラーション、作品：「新聞を読む女性」がある。その絵画では、女性の服の縞模様に青紫が使用され、如雨露の内側に橙が使用され、背景の草に黄緑が使用されている。
【００７７】
第の１１組合せ（紫、黄、緑）の例としては、作者：ポール・ゴーギャン、作品：「生贄の神殿」がある。その絵画では、手前にある花や遠景の山に紫が使用され、近景の小高い丘に黄が使用され、手前の野原や小高い丘にある木々に緑が使用されている。
【００７８】
第の１２組合せ（赤紫、青緑、黄緑）の例としては、作者：アーサー・ヒュース、作品：「長い婚約期間」がある。その絵画では、女性のマントに赤紫が使用され、女性のスカートに青緑が使用され、木に付着している苔や背景に黄緑が使用されている。
【００７９】
このように、本実施形態を用いると、プロの画家が実際に選択するような色を容易に３色選ぶことができる。このため、３歳ぐらいから、無理なく色の組合せを学ぶことができる。
【００８０】
また、本実施形態では、第１の実施形態と同様に、回転板５０５の周りに色相環がはみ出している。言い換えると、色相環の外周より内側に回転板５０５の外周が位置し、回転板５０５が色相環を覆った状態でユーザは全１２色を認識することができる。このため、色彩について何らの知識を有さない者であっても、回転板５０５の外部に位置する色相環５０２を見ながら、基準窓５５１、窓５５２、５５３を目的の色に合わせることができる。
【００８１】
なお、本実施形態を用いて色の組合せを学んだ後に、回転板５０５の周りからはみ出した色相環を見ずに色の組合せを学習する目的のために、回転板５０５の周りから色相環がはみ出さないように本実施形態が変形されてもよい。また、本実施形態の色相環の１２個の部分の形状は、図２に示す扇形に限られない。色相環の形状は、窓や基準窓から色相が確認できればどのような形状でもよく、例えば、それらの１２個の部分の少なくとも１つが、図３に示すような２本の線分と２つの円弧で囲まれた領域であってもよいし、略台形であってもよい。
【００８２】
また、上述した色の組合せを表示する装置５０１では、回転板５０５が基準窓５５１を有していたが、本実施形態では、回転板５０５が基準窓５５１の代わりに窓を有していてもよい。そのような実施形態であっても、上述した効果を奏する。
【００８３】
以下に、本発明の第７の実施形態における色の組合せを表示する装置を説明する。本実施形態では、表面と裏面との２面を有するものにおいて、第１面に第２の実施形態が実施され、第２面に第１、第３、第４または第６の実施形態が実施されている。この場合、基板を、第１面の色の組合せを表示する装置と第２面の色の組合せを表示する装置とで共有できるため、色の組合せを表示する装置を２つ別々に製造するよりも材料費を下げることができる。また、第１面と第２面の回転板の回転中心となる回転軸を共通化した場合、２つの回転軸を別々に設けたものに比べ、材料費や、製造工程を簡略化でき、製造コストを下げることができる。また、ユーザにとっても、色の組合せを表示する装置を２つ持つ必要がなく、本実施形態は持ち運びに便利である。
【００８４】
また、本実施形態では、第１面に第５の実施形態が実施され、第２面に第１、第３、第４または第６の実施形態が実施されてもよく、その場合も、上述した効果を奏する。また、本実施形態では、第１面に第６の実施形態が実施され、第２面に第１、第３、または第４の実施形態が実施されてもよく、その場合も、上述した効果を奏する。
【００８５】
以下に、本発明の第８の実施形態における塗り絵セットを説明する。本実施形態における塗り絵セットは、第１、２、３、４、５、６または７の実施形態における色の組合せを表示する装置と、面を有し、その面が少なくとも３つの領域に目印により分けられている物体を含んでいる。
【００８６】
図９は、その物体の一例を示す図である。具体的には、紙６００に象が描かれている。紙６００は、３つの領域６０１、６０２、６０３を有し、それらの領域６０１、６０２、６０３は線により分けられている。上記色の組合せを表示する装置と紙５００がセットとして販売されている場合、ユーザはそのセットを購入することによりすぐに塗り絵を行うことができる。
【００８７】
また、図９では象が描かれているが、別の動物が描かれた紙が本実施形態における塗り絵セットに含まれていてもよい。また、紙に描かれているものは、動物に限られない。例えば、図１０に示すようなヒーロー戦隊が描かれていてもよい。また、上述した例では、実線で領域が分けられていたが、破線や一点鎖線などの線で領域が分けられてもよいし、凹凸などで領域が分けられてもよい。
【００８８】
また、面が少なくとも３つの領域に目印により分けられている物体としては、画用紙、半紙、ケント紙などの紙や、ハンカチ、タオル、衣服などの布類や、ボール、小物入れなどの立体物が含まれる。なお、面が少なくとも３つの領域に目印により分けられている物体が紙である場合、複数の紙が綴じられていてもよい。また、面が少なくとも３つの領域に目印により分けられている物体が紙である場合、複数の紙と色の組合せを表示する装置が綴じられ、本実施形態が本の形式をとっていてもよい。本実施形態が本の形式をとっている場合、書店ルートにより、本実施形態を販売することが可能である。
【００８９】
以下に、本発明の第９の実施形態における塗り絵セットを説明する。本実施形態における塗り絵セットは、第１、２、３、４、５、６または７の実施形態における色の組合せを表示する装置と、赤、黄赤、橙、黄、黄緑、緑、青緑、濃い青緑、青、青紫、紫、赤紫を塗ることが可能な筆記用具を含んでいる。このため、ユーザはすぐに塗り絵をすることができる。
【００９０】
しかし、通常市販されている１２色の色鉛筆の色は、赤、緑、茶色、水色、ペールオレンジ、紫、黄緑、黒、橙、黄色、青、桃色である。本実施形態に含まれる色の組合せを表示する装置に表示される色に基づき、ユーザが彩色する場合、青緑を水色の色鉛筆で代用することは可能であるが、黄赤、青緑、濃い青緑、青紫に対応する色の色鉛筆は、通常の１２色の色鉛筆には含まれていないため、ユーザはすぐに塗り絵を行うことができない。
【００９１】
ここで、筆記用具には、色鉛筆、絵の具、クレヨン、コンテ、油性ペン、水性ペンなどが含まれる。これらの色鉛筆、絵の具、クレヨン、コンテ、油性ペン、または水性ペンなどが箱に収納されている場合、その箱の中に、色の組合せを表示する装置が納められていてもよい。その場合、画材を販売するルートで本実施形態を販売することが可能である。
【００９２】
以下に、本発明の第１０の実施形態における塗り絵セットを説明する。本実施形態における塗り絵セットは、第１、２、３、４、５、６または７の実施形態における色の組合せを表示する装置と、赤、黄赤、橙、黄、黄緑、緑、青緑、濃い青緑、青、青紫、紫、赤紫を塗ることが可能な筆記用具と、面を有し、その面が少なくとも３つの領域に目印により分けられている物体を含んでいる。
【００９３】
面が少なくとも３つの領域に目印により分けられている物体には、画用紙、半紙、ケント紙などの紙や、ハンカチ、タオル、衣服などの布類や、ボール、小物入れなどの立体物が含まれる。面が少なくとも３つの領域に目印により分けられている物体が紙である場合、複数の紙が綴じられていてもよい。また、面が少なくとも３つの領域に目印により分けられている物体が紙である場合、複数の紙と色の組合せを表示する装置が綴じられ、それらが本の形式をとっていてもよい。
【００９４】
また、筆記用具には、色鉛筆、絵の具、クレヨン、コンテ、油性ペン、水性ペンなどが含まれる。これらの色鉛筆、絵の具、クレヨン、コンテ、油性ペン、または水性ペンなどが箱に収納されている場合、その箱の中に、色の組合せを表示する装置が納められていてもよい。
【００９５】
本実施形態では、筆記用具が納められた箱と、少なくとも３つの領域に目印により分けられている複数の紙および色の組合せを表示する装置が綴じられた本とが同梱されていてもよい。また、本実施形態では、筆記用具が納められた箱と、少なくとも３つの領域に目印により分けられている複数の紙が綴じられた本と、色の組合せを表示する装置とが同梱されていてもよい。また、本実施形態では、筆記用具および色の組合せを表示する装置が納められた箱と、少なくとも３つの領域に目印により分けられている複数の紙が綴じられた本とが同梱されていてもよい。このため、ユーザはすぐに塗り絵をすることができる。
【符号の説明】
【００９６】
１、２０１、３０１、５０１        色の組合せを表示する装置
２、２０２、３０２、５０２        色相環
２１〜３２                        扇形
４、４ａ、４ｂ、２０４            基板
５、１０５、２０５、３０５        回転板
５１、５２、５３、１５１、１５２、１５３、１５４   窓
２５１、３５１、４５１、５５１    基準窓
６、２０６                        回転軸
６００                            紙
【図１】
2014106325.tif 000003
【図２】
2014106325.tif 000004
【図３】
2014106325.tif 000005
【図４】
2014106325.tif 000006
【図５】
2014106325.tif 000007
【図６】
2014106325.tif 000008
【図７】
2014106325.tif 000009
【図８】
2014106325.tif 000010
【図９】
2014106325.tif 000011
【図１０】
2014106325.tif 000012